(57)【特許請求の範囲】
【請求項１】
被検体内の観察対象を含む三次元領域に対して超音波を送信し当該三次元領域からの反射波を受信して、前記三次元領域に関するエコー信号を取得する送受信手段と、
前記三次元領域に関するエコー信号を用いて、前記三次元領域に関するボリュームデータを取得するデータ取得手段と、
前記三次元領域に含まれる二次元領域に関する二次元画像上においてユーザによって指定された少なくとも３点と予め取得した前記被検体の検査情報とに従って、楕円形状又は真円形状を設定する曲線設定手段と、
前記設定された楕円形状又は真円形状を回転させることで得られる閉領域を用いて、前記ボリュームデータに対して三次元関心領域を設定する関心領域設定手段と、
前記設定された三次元関心領域の直交三断面に関する直交三断面画像を生成する画像生成手段と、
前記設定された三次元関心領域に関する直交三断面画像を表示する表示手段と、
前記表示された直交三断面のいずれかに対して、前記三次元関心領域の位置、大きさ、形状についての変更指示を入力するための入力手段と、
前記変更指示が入力された場合には、当該指示に従って、前記三次元関心領域の位置、大きさ、形状と、前記直交三断面のうち前記変更指示が入力された断面以外の二断面に関する観察位置及び観察方向と、を変更する曲線変更手段と、を具備し、
前記画像生成手段は、前記変更後の三次元関心領域と、前記変更後の観察位置及び観察方向と、を用いて、新たな直交三断面画像を生成すること、
を特徴とする超音波診断装置。
【請求項２】
前記観察対象は胎児であり、
前記検査情報は、妊娠周期を含むこと、
を特徴とする請求項１記載の超音波診断装置。
【請求項３】
前記観察対象は胎児であり、
前記検査情報は、前記被検体の頭囲計測データを含むこと、
を特徴とする請求項１記載の超音波診断装置。
【請求項４】
前記観察対象は臓器であり、
前記検査情報は、前記臓器に関する計測データを含むこと、
を特徴とする請求項１記載の超音波診断装置。
【請求項５】
前記送受信手段は、三次元領域に含まれる二次元領域に対して超音波を送信し当該
二次元領域からの反射波を受信して、前記二次元領域に関するエコー信号を取得し、
前記データ取得手段は、前記二次元領域に関するエコー信号を用いて、前記二次元領域に関する二次元画像データを取得し、
前記曲線設定手段は、前記二次元画像データを用いて生成される前記二次元画像を用いて、前記楕円形状又は真円形状を設定すること、
を特徴とする請求項１乃至４のうちいずれか一項記載の超音波診断装置。
【請求項６】
前記曲線設定手段は、前記二次元画像として、前記ボリュームデータを用いて生成されるＭＰＲ画像を用いて、前記楕円形状又は真円形状を設定することを特徴とする請求項１乃至５のうちいずれか一項記載の超音波診断装置。
【請求項７】
前記関心領域設定手段は、前記楕円形状又は真円形状を有する曲線を前記二次元画像に含まれる直線を中心として回転させることで、前記閉領域を取得すること、
を特徴とする請求項１乃至６のうちいずれか一項記載の超音波診断装置。
【請求項８】
前記曲線設定手段は、ユーザからの入力指示に従って、前記楕円形状又は真円形状の位置、大きさ、形状のうちの少なくとも一つを変更すること、
を特徴とする請求項１乃至７のうちいずれか一項記載の超音波診断装置。
【請求項９】
被検体内の観察対象を含む三次元領域を超音波走査することで取得された前記三次元領域に関するボリュームデータを記憶する記憶手段と、
前記三次元領域に含まれる二次元領域に関する二次元画像上においてユーザによって指定された少なくとも３点と予め取得した前記被検体の検査情報とに従って、楕円形状又は真円形状を設定する曲線設定手段と、
前記設定された楕円形状又は真円形状を回転させることで得られる閉領域を用いて、前記ボリュームデータに対して三次元関心領域を設定する関心領域設定手段と、
前記設定された三次元関心領域の直交三断面に関する直交三断面画像を生成する画像生成手段と、
前記設定された三次元関心領域に関する直交三断面画像を表示する表示手段と、
前記表示された直交三断面のいずれかに対して、前記三次元関心領域の位置、大きさ、形状についての変更指示を入力するための入力手段と、
前記変更指示が入力された場合には、当該指示に従って、前記三次元関心領域の位置、大きさ、形状と、前記直交三断面のうち前記変更指示が入力された断面以外の二断面に関する観察位置及び観察方向と、を変更する曲線変更手段と、を具備し、
前記画像生成手段は、前記変更後の三次元関心領域と、前記変更後の観察位置及び観察方向と、を用いて、新たな直交三断面画像を生成すること、
を特徴とする超音波画像処理装置。
【請求項１０】
被検体内の観察対象を含む三次元領域に関するボリュームデータを取得するデータ取得手段と、
前記三次元領域に含まれる二次元領域に関する二次元画像上においてユーザによって指定された少なくとも３点と予め取得した前記被検体の検査情報とに従って、楕円形状又は真円形状を設定する曲線設定手段と、
前記設定された楕円形状又は真円形状を回転させることで得られる閉領域を用いて、前記ボリュームデータに対して三次元関心領域を設定する関心領域設定手段と、
前記設定された三次元関心領域の直交三断面に関する直交三断面画像を生成する画像生成手段と、
前記設定された三次元関心領域に関する直交三断面画像を表示する表示手段と、
前記表示された直交三断面のいずれかに対して、前記三次元関心領域の位置、大きさ、形状についての変更指示を入力するための入力手段と、
前記変更指示が入力された場合には、当該指示に従って、前記三次元関心領域の位置、大きさ、形状と、前記直交三断面のうち前記変更指示が入力された断面以外の二断面に関する観察位置及び観察方向と、を変更する曲線変更手段と、を具備し、
前記画像生成手段は、前記変更後の三次元関心領域と、前記変更後の観察位置及び観察方向と、を用いて、新たな直交三断面画像を生成すること、
を特徴とする医用画像診断装置。
【請求項１１】
医用画像診断装置を用いて取得された、被検体内の観察対象を含む三次元領域に関するボリュームデータを記憶する記憶手段と、
前記三次元領域に含まれる二次元領域に関する二次元画像上においてユーザによって指定された少なくとも３点と予め取得した前記被検体の検査情報とに従って、楕円形状又は真円形状を設定する曲線設定手段と、
前記設定された楕円形状又は真円形状を回転させることで得られる閉領域を用いて、前記ボリュームデータに対して三次元関心領域を設定する関心領域設定手段と、
前記設定された三次元関心領域の直交三断面に関する直交三断面画像を生成する画像生成手段と、
前記設定された三次元関心領域に関する直交三断面画像を表示する表示手段と、
前記表示された直交三断面のいずれかに対して、前記三次元関心領域の位置、大きさ、形状についての変更指示を入力するための入力手段と、
前記変更指示が入力された場合には、当該指示に従って、前記三次元関心領域の位置、大きさ、形状と、前記直交三断面のうち前記変更指示が入力された断面以外の二断面に関する観察位置及び観察方向と、を変更する曲線変更手段と、を具備し、
前記画像生成手段は、前記変更後の三次元関心領域と、前記変更後の観察位置及び観察方向と、を用いて、新たな直交三断面画像を生成すること、
を特徴とする医用画像処理装置。
【発明の詳細な説明】
【技術分野】
【０００１】
本発明の実施形態は、例えば超音波診断装置等によって取得されたボリュームデータを用いて三次元画像を表示する場合において、三次元関心領域の簡単且つ適切な設定を支援するための超音波診断装置、超音波画像処理装置及び医用画像処理装置に関する。
【背景技術】
【０００２】
超音波診断は、超音波プローブを体表から当てるだけの簡単な操作で心臓の拍動や胎児の動きの様子がリアルタイム表示で得られ、かつ安全性が高いため繰り返して検査を行うことができる。この他、システムの規模がＸ線、ＣＴ、ＭＲＩなど他の診断機器に比べて小さく、ベッドサイドへ移動していっての検査も容易に行えるなど簡便な診断手法であると言える。この超音波診断において用いられる超音波診断装置は、それが具備する機能の種類によって様々に異なるが、小型なものは片手で持ち運べる程度のものが開発されており、超音波診断はＸ線などのように被曝の影響がなく、産科や在宅医療等においても使用することができる。
【０００３】
また、超音波診断装置を用いてボリュームデータを取得し、３次元画像を観察することもできる。この様なボリュームデータを取得する際には、一次元アレイプローブの機械的制御により二次元走査面を揺動（二次元走査面と直交する方向への周期的移動）させながらボリュームデータを取得する揺動走査、或いは、二次元アレイプローブの電子的制御による三次元走査が実行される。例えば産科分野では、これらの走査手法によって取得されたボリュームデータを用いて三次元画像を生成・表示し、胎児の発育状態を立体的（三次元的）に観察している。
【０００４】
ところで、胎盤は胎児全体を包み込む構造である。このため、超音波診断装置を用いて胎児を映像化する際、超音波プローブの当て方、胎盤内部での胎児の顔の向き、表示方向等によっては顔の前に胎盤が見える場合がある。係る場合には、母体の構造物(胎盤) がアーチファクトがとなり、胎児の顔を超音波画像によって描出することが困難になることがある。このため、三次元関心領域を設定し表示領域を超音波プローブと胎児の顔との間に存在する胎盤に対応するデータを切り取ること等で、アーチファクトの低減化を図っている。
【先行技術文献】
【特許文献】
【０００５】
【特許文献１】特開２００５−７４２２５号公報
【発明の概要】
【発明が解決しようとする課題】
【０００６】
しかしながら、生体構造の形に沿って適切な三次元関心領域の設定を行うことは一般的に困難である。このため、従来の超音波診断装置では、例えば胎盤に対応するデータのみならず、胎児の一部に対応するデータをも切り取ってしまうといった具合に、所望する三次元画像を生成・表示できない場合がある。また、胎児の一部に対応するデータを切り取らないように設定しようとすれば、多大な時間を要する等、操作性が悪いという問題がある。
【０００７】
本発明は、上記事情を鑑みてなされたもので、例えば超音波診断装置等によって取得されたボリュームデータを用いて三次元画像を表示する場合において、三次元関心領域の簡単且つ適切な設定を支援するための超音波診断装置、超音波画像処理装置、医用画像診断装置及び医用画像処理装置を提供することを目的としている。
【課題を解決するための手段】
【０００８】
上記目的を達成するため、次のような手段を講じている。
【０００９】
一実施形態に係る超音波診断装置は、被検体内の観察対象を含む三次元領域に対して超音波を送信し当該三次元領域からの反射波を受信して、前記三次元領域に関するエコー信号を取得する送受信手段と、前記三次元領域に関するエコー信号を用いて、前記三次元領域に関するボリュームデータを取得するデータ取得手段と、  前記三次元領域に含まれる二次元領域に関する二次元画像上においてユーザによって指定された少なくとも３点と予め取得した前記被検体の検査情報とに従って、楕円形状又は真円形状を設定する曲線設定手段と、前記設定された楕円形状又は真円形状を回転させることで得られる閉領域を用いて、前記ボリュームデータに対して三次元関心領域を設定する関心領域設定手段と、前記設定された三次元関心領域の直交三断面に関する直交三断面画像を生成する画像生成手段と、前記設定された三次元関心領域に関する直交三断面画像を表示する表示手段と、前記表示された直交三断面のいずれかに対して、前記三次元関心領域の位置、大きさ、形状についての変更指示を入力するための入力手段と、前記変更指示が入力された場合には、当該指示に従って、前記三次元関心領域の位置、大きさ、形状と、前記直交三断面のうち前記変更指示が入力された断面以外の二断面に関する観察位置及び観察方向と、を変更する曲線変更手段と、を具備し、前記画像生成手段は、前記変更後の三次元関心領域と、前記変更後の観察位置及び観察方向と、を用いて、新たな直交三断面画像を生成すること、を特徴とする。
【００１０】
一実施形態に係る超音波画像処理装置は、被検体内の観察対象を含む三次元領域を超音波走査することで取得された前記三次元領域に関するボリュームデータを記憶する記憶手段と、  前記三次元領域に含まれる二次元領域に関する二次元画像上においてユーザによって指定された少なくとも３点と予め取得した前記被検体の検査情報とに従って、楕円形状又は真円形状を設定する曲線設定手段と、前記設定された円形状又は真円形状を回転させることで得られる閉領域を用いて、前記ボリュームデータに対して三次元関心領域を設定する関心領域設定手段と、前記設定された三次元関心領域の直交三断面に関する直交三断面画像を生成する画像生成手段と、前記設定された三次元関心領域に関する直交三断面画像を表示する表示手段と、前記表示された直交三断面のいずれかに対して、前記三次元関心領域の位置、大きさ、形状についての変更指示を入力するための入力手段と、前記変更指示が入力された場合には、当該指示に従って、前記三次元関心領域の位置、大きさ、形状と、前記直交三断面のうち前記変更指示が入力された断面以外の二断面に関する観察位置及び観察方向と、を変更する曲線変更手段と、を具備し、前記画像生成手段は、前記変更後の三次元関心領域と、前記変更後の観察位置及び観察方向と、を用いて、新たな直交三断面画像を生成すること、を特徴とする。
【００１１】
一実施形態に係る医用画像診断装置は、被検体内の観察対象を含む三次元領域に関するボリュームデータを取得するデータ取得手段と、  前記三次元領域に含まれる二次元領域に関する二次元画像上においてユーザによって指定された少なくとも３点と予め取得した前記被検体の検査情報とに従って、楕円形状又は真円形状を設定する曲線設定手段と、前記設定された円形状又は真円形状を回転させることで得られる閉領域を用いて、前記ボリュームデータに対して三次元関心領域を設定する関心領域設定手段と、前記設定された三次元関心領域の直交三断面に関する直交三断面画像を生成する画像生成手段と、前記設定された三次元関心領域に関する直交三断面画像を表示する表示手段と、前記表示された直交三断面のいずれかに対して、前記三次元関心領域の位置、大きさ、形状についての変更指示を入力するための入力手段と、前記変更指示が入力された場合には、当該指示に従って、前記三次元関心領域の位置、大きさ、形状と、前記直交三断面のうち前記変更指示が入力された断面以外の二断面に関する観察位置及び観察方向と、を変更する曲線変更手段と、を具備し、前記画像生成手段は、前記変更後の三次元関心領域と、前記変更後の観察位置及び観察方向と、を用いて、新たな直交三断面画像を生成すること、を特徴とする。
【００１２】
一実施形態に係る医用画像処理装置は、医用画像診断装置を用いて取得された、被検体内の観察対象を含む三次元領域に関するボリュームデータを記憶する記憶手段と、  前記三次元領域に含まれる二次元領域に関する二次元画像上においてユーザによって指定された少なくとも３点と予め取得した前記被検体の検査情報とに従って、楕円形状又は真円形状を設定する曲線設定手段と、前記設定された円形状又は真円形状を回転させることで得られる閉領域を用いて、前記ボリュームデータに対して三次元関心領域を設定する関心領域設定手段と、前記設定された三次元関心領域の直交三断面に関する直交三断面画像を生成する画像生成手段と、前記設定された三次元関心領域に関する直交三断面画像を表示する表示手段と、前記表示された直交三断面のいずれかに対して、前記三次元関心領域の位置、大きさ、形状についての変更指示を入力するための入力手段と、前記変更指示が入力された場合には、当該指示に従って、前記三次元関心領域の位置、大きさ、形状と、前記直交三断面のうち前記変更指示が入力された断面以外の二断面に関する観察位置及び観察方向と、を変更する曲線変更手段と、を具備し、前記画像生成手段は、前記変更後の三次元関心領域と、前記変更後の観察位置及び観察方向と、を用いて、新たな直交三断面画像を生成すること、を特徴とする。
【発明の効果】
【００１３】
以上本発明の実施形態によれば、例えば超音波診断装置等によって取得されたボリュームデータを用いて三次元画像を表示する場合において、三次元関心領域の簡単且つ適切な設定を支援するための超音波診断装置、超音波画像処理装置、医用画像診断装置及び医用画像処理装置を実現することができる。
【図面の簡単な説明】
【００１４】
【図１】図１は、第１の実施形態に係る超音波診断装置１のブロック構成図を示している。
【図２】図２は、第１の実施形態に係る三次元関心領域設定支援処理の流れを示したフローチャートである。
【図３】図３（ａ）、図３（ｂ）は、ステップＳ３ａにおいて、初期画像として表示される二次元画像、三次元画像をそれぞれ示した図である。
【図４】図４は、二次元関心曲線の位置、形状、大きさの変更処理を説明するための図であり、二次元関心曲線として真円が設定された例を示している。
【図５】図５は、二次元関心曲線としての真円を、中心Ｏを通る回転軸を中心として回転させることで走査方向に設定された三次元関心領域を例示した図である。
【図６】図６は、二次元関心曲線としての真円を、中心Ｏを通る軸を中心として回転させることで揺動方向に設定された三次元関心領域を例示した図である。
【図７】図７は、設定された三次元関心領域内に含まれるデータを用いて生成された三次元画像（ボリュームレンダリング画像）を示した図である。
【図８】図８は、第２の実施形態に係る三次元関心領域設定支援処理の流れを示したフローチャートである。
【図９】図９は、ステップＳ３ｂにおいて初期画像として表示される三次元画像を示した図である。
【図１０】図１０は、二次元画像上において任意の位置に設定される三点を例示した図である。
【図１１】図１１は、二次元関心曲線としての真円を、中心Ｏを通る回転軸を中心として回転させることで走査方向に設定された三次元関心領域を例示した図である。
【図１２】図１２は、二次元関心曲線としての真円を、中心Ｏを通る軸を中心として回転させることで揺動方向に設定された三次元関心領域を例示した図である。
【図１３】図１３は、設定された三次元関心領域内に含まれるデータを用いて生成された三次元画像（ボリュームレンダリング画像）を示した図である。
【図１４】図１４は、第３の実施形態に係る三次元関心領域設定支援処理の流れを示したフローチャートである。
【図１５】図１５は、ステップＳ３ｃにおいて表示される初期画像としての三次元画像（ボリュームレンダリング画像）を示した図である。
【図１６】図１６は、二次元関心曲線として設定された楕円の回転軸を説明するための図である。
【図１７】図１７は、二次元関心曲線として設定された楕円の位置、向き、大きさの変更処理を説明するための図である。
【図１８】図１８は、短軸を回転中心とする、二次元関心曲線として設定された楕円を例示した図である。
【図１９】図１９は、二次元関心曲線としての楕円を、長軸を回転軸を中心として回転させることで走査方向に設定された三次元関心領域を例示した図である。
【図２０】図２０は、二次元関心曲線としての楕円を、長軸を回転軸を中心として回転させることで揺動方向に設定された三次元関心領域を例示した図である。
【図２１】図２１は、第３の実施形態において設定された三次元関心領域内に含まれるデータを用いて生成された三次元画像（ボリュームレンダリング画像）を示した図である。
【図２２】図２２は、第４の実施形態に係る三次元関心領域設定支援処理の流れを示したフローチャートである。
【図２３】図２３は、第５の実施形態に係る三次元関心領域設定支援処理の流れを示したフローチャートである。
【図２４】図２４は、二次元関心曲線として任意閉曲線を設定した場合の回転軸の設定を説明するための図である。
【図２５】図２５は、第６の実施形態に係る三次元関心領域設定支援処理の流れを示したフローチャートである。
【図２６】図２６は、二次元関心曲線として解放閉曲線を設定した場合の回転軸の設定を説明するための図である。
【図２７】図２７は、第７の実施形態に係る三次元関心領域設定支援処理の流れを示したフローチャートである。
【図２８】図２８は、第８の実施形態に係る三次元関心領域設定支援処理における、二次元関心曲線の設定・変更処理を説明するための図である。
【図２９】図２９は、第８の実施形態に係る三次元関心領域設定支援処理における、二次元関心曲線の設定・変更処理を説明するための図である。
【図３０】図３０は、ＶＯＩ座標系モードにおける三次元関心領域と直交三断面との間の位置関係の設定・変更処理を説明するための図である。
【図３１】図３１は、ＶＯＩ座標系モードにおける三次元関心領域と直交三断面との間の位置関係の設定・変更処理を説明するための図である。
【図３２】図３２は、ＶＯＩ座標系モードにおける三次元関心領域の変更後の表示形態の変形例を示した図である。
【図３３】図３３は、Ｂ面における三次元関心領域の変更処理を示した図である。
【図３４】図３４は、Ｃ面における三次元関心領域の変更処理を示した図である。
【発明を実施するための形態】
【００１５】
以下、本発明の実施形態を図面に従って説明する。なお、以下の説明において、略同一の機能及び構成を有する構成要素については、同一符号を付し、重複説明は必要な場合にのみ行う。
【００１６】
図１は、本実施形態に係る超音波診断装置１のブロック構成図を示している。同図に示すように、本超音波診断装置１１は、超音波プローブ１２、入力装置１３、モニター１４、超音波送信ユニット２１、超音波受信ユニット２２、Ｂモード処理ユニット２３、ドプラ処理ユニット２４、画像生成ユニット２５、画像メモリ２６、画像合成ユニット２７、制御プロセッサ（ＣＰＵ）２８、内部記憶ユニット２９、インターフェースユニット３０を具備している。以下、個々の構成要素の機能について説明する。
【００１７】
超音波プローブ１２は、超音波送受信ユニット２１からの駆動信号に基づき超音波を発生し、被検体からの反射波を電気信号に変換する複数の圧電振動子、当該圧電振動子に設けられる整合層、当該圧電振動子から後方への超音波の伝播を防止するバッキング材等を有している。当該超音波プローブ１２から被検体Ｐに超音波が送信されると、当該送信超音波は、体内組織の音響インピーダンスの不連続面で次々と反射され、エコー信号として超音波プローブ１２に受信される。このエコー信号の振幅は、反射することになった反射することになった不連続面における音響インピーダンスの差に依存する。また、送信された超音波パルスが、移動している血流や心臓壁等の表面で反射された場合のエコーは、ドプラ効果により移動体の超音波送信方向の速度成分を依存して、周波数偏移を受ける。
【００１８】
なお、本超音波診断装置が具備する超音波プローブ１２は、被検体の三次元領域を超音波走査可能なものである。そのため、超音波プローブ１２は、振動子をその配列方向の直交方向に沿って機械的に揺動させ、三次元領域を超音波走査する構成、又は二次元的に配列された二次元振動素子を用いて電気的制御により三次元領域を超音波走査する構成等を有する。前者の構成を採用する場合、被検体の三次元的走査は揺動回路（揺動機構）によって行われるため、検査者はプローブ本体を被検体に接触させるだけで、自動的に複数の二次元断層像を取得することができる。制御された揺動速度から断面間の正確な距離も検知できる。また、後者の構成を採用する場合には、原理的には、従来の二次元断層像を取得するのと同じ時間で、三次元領域を超音波走査することができる。本実施形態では、説明を具体的にするため、超音波プローブ１２は、機械的揺動によって三次元領域を超音波走査するものとする。
【００１９】
入力装置１３は、超音波診断装置１１の本体に接続され、オペレータからの各種指示、条件、関心領域（ＲＯＩ）の設定指示、種々の画質条件設定指示等を装置本体１１にとりこむための各種スイッチ、ボタン、トラックボール、マウス、キーボード等を有している。例えば、操作者が入力装置１３の終了ボタンやＦＲＥＥＺＥボタンを操作すると、超音波の送受信は終了し、当該超音波診断装置は一時停止状態となる。
【００２０】
モニター１４は、画像生成ユニット２５からのビデオ信号に基づいて、生体内の形態学的情報（通常のＢモード画像）、血流情報（平均速度画像、分散画像、パワー画像等）、広域超音波画像、狭域超音波画像、任意断面超音波画像等を所定の形態で表示する。
【００２１】
超音波送信ユニット２１は、図示しないトリガ発生回路、遅延回路およびパルサ回路等を有している。パルサ回路では、所定のレート周波数ｆｒ  Ｈｚ（周期；１／ｆｒ秒）で、送信超音波を形成するためのレートパルスが繰り返し発生される。また、遅延回路では、チャンネル毎に超音波をビーム状に集束し且つ送信指向性を決定するのに必要な遅延時間が、各レートパルスに与えられる。トリガ発生回路は、このレートパルスに基づくタイミングで、プローブ１２に駆動パルスを印加する。
【００２２】
なお、超音波送信ユニット２１は、制御プロセッサ２８の指示に従って所定のスキャンシーケンスを実行するために、送信周波数、送信駆動電圧等を瞬時に変更可能な機能を有している。特に送信駆動電圧の変更については、瞬間にその値を切り替え可能なリニアアンプ型の発信回路、又は複数の電源ユニットを電気的に切り替える機構によって実現される。
【００２３】
超音波受信ユニット２２は、図示していないアンプ回路、Ａ／Ｄ変換器、加算器等を有している。アンプ回路では、プローブ１２を介して取り込まれたエコー信号をチャンネル毎に増幅する。Ａ／Ｄ変換器では、増幅されたエコー信号に対し受信指向性を決定するのに必要な遅延時間を与え、その後加算器において加算処理を行う。この加算により、エコー信号の受信指向性に応じた方向からの反射成分が強調され、受信指向性と送信指向性とにより超音波送受信の総合的なビームが形成される。
【００２４】
Ｂモード処理ユニット２３は、送受信ユニット２１からエコー信号を受け取り、対数増幅、包絡線検波処理などを施し、信号強度が輝度の明るさで表現されるデータを生成する。このデータは、画像生成ユニット２５に送信され、反射波の強度を輝度にて表したＢモード画像としてモニター１４に表示される。
【００２５】
ドプラ処理ユニット２４は、送受信ユニット２１から受け取ったエコー信号から速度情報を周波数解析し、ドプラ効果による血流や組織、造影剤エコー成分を抽出し、平均速度、分散、パワー等の血流情報を多点について求める。
【００２６】
画像生成ユニット２５は、一般的には、超音波スキャンの走査線信号列を、テレビなどに代表される一般的なビデオフォーマットの走査線信号列に変換（スキャンコンバート）し、表示画像としての超音波診断画像を生成する。また、画像生成ユニット２５は、画像処理装置としての機能を有し、制御プロセッサ２８からの制御に従って、後述する三次元関心領域設定支援機能において実行される所定の各処理を実行する。
【００２７】
画像メモリ２６は、フレーム毎或いはボリューム毎にエコー信号を一時的に記憶する。
【００２８】
画像合成ユニット２７は、画像生成ユニット２５から受け取った画像を種々のパラメータの文字情報や目盛等と共に合成し、ビデオ信号としてモニター１４に出力する。
【００２９】
制御プロセッサ２８は、情報処理装置（計算機）としての機能を持ち、本超音波診断装置本体の動作を制御する。制御プロセッサ２８は、内部記憶ユニット２９から後述する三次元関心領域設定支援機能を実現するための専用プログラム、所定のスキャンシーケンスを実行するための制御プログラムを読み出して自身が有するメモリ上に展開し、各種処理に関する演算・制御等を実行する。
【００３０】
内部記憶ユニット２９は、異なる画角設定により複数のボリュームデータを収集するための所定のスキャンシーケンス、後述する三次元関心領域設定支援機能を実現するための専用プログラム、検査情報と二次元関心曲線を設定する際に用いられる初期条件とを予め対応付けた初期条件テーブル、画像生成、表示処理を実行するための制御プログラム、診断情報（患者ＩＤ、医師の所見等）、診断プロトコル、送受信条件、ボディマーク生成プログラムその他のデータ群が保管されている。また、必要に応じて、画像メモリ２６中の画像の保管などにも使用される。内部記憶ユニット２９のデータは、インターフェースユニット３０を経由して外部周辺装置へ転送することも可能となっている。
【００３１】
インターフェースユニット３０は、入力装置１３、ネットワーク、新たな外部記憶装置（図示せず）に関するインターフェースである。当該装置によって得られた超音波画像等のデータや解析結果等は、インターフェースユニット３０よって、ネットワークを介して他の装置に転送可能である。
【００３２】
（三次元関心領域設定支援機能）
次に、本超音波診断装置１が有する、三次元関心領域設定支援機能について説明する。この機能は、ボリュームデータに三次元関心領域を設定する際に、二次元画像上の所望の位置に、所望の形状、大きさを有する曲線（二次元関心曲線）を設定し、当該設定された曲線を利用することで、簡単且つ適切な三次元関心領域の設定を支援するものである。
【００３３】
図２は、本三次元関心領域設定支援機能に従う処理（三次元関心領域設定支援処理）の流れを示したフローチャートである。同図に従って、三次元関心領域設定支援処理において実行される各処理の内容について説明する。以下の説明においては、観察対象が胎児である場合を例とする。しかしながら、本三次元関心領域機能は、観察対象が胎児の場合に拘泥されず、臓器等を観察対象として三次元関心領域を設定する場合にも適用可能である。
【００３４】
［患者叙情、送受信条件等の入力受：ステップＳ１ａ］
操作ユニット３３を介して患者情報（例えば、患者ＩＤ等）の入力、送受信条件（画角、焦点位置、送信電圧等）、被検体の観察対象を含む三次元領域を所定期間に亘って超音波走査するためのスキャンシーケンス等の選択が実行される（ステップＳ１ａ）。入力、選択された各種情報・条件等は、自動的に記憶装置２９に記憶される。
【００３５】
［三次元超音波走査：ステップＳ２ａ］
次に、制御プロセッサ２８は、観察対象を含む三次元領域を被走査領域として、リアルタイム三次元超音波走査を実行する（ステップＳ２ａ）。具体的には、揺動プローブを用いて、例えば胎児の顔を含む三次元領域を超音波走査する。この超音波走査によって、胎児の顔を含む三次元領域についてのエコー信号が収集される。
【００３６】
取得された各エコー信号は、逐次超音波受信ユニット２２を経由してＢモード処理ユニット２３に送られる。Ｂモード処理ユニット２３は、対数増幅処理、包絡線検波処理等を実行し、信号強度が輝度で表現される画像データを生成する。画像生成ユニット２５は、生成された三次元領域についての時系列な画像データに対して、実際の空間座標系（すなわち、複数の走査断面画像データが定義される座標系）からボリュームデータ空間座標系への座標変換を実行し補間処理を行うことで、ボリュームデータを再構成する。
【００３７】
［二次元画像、三次元画像の生成・表示：ステップＳ３ａ］
画像生成ユニット２５は、再構成されたボリュームデータを用いて、任意断面に対応するＭＰＲ画像（二次元画像）、及び初期画像としての三次元画像を生成する。生成された二次元画像及び三次元画像は、画像合成ユニット２７において所定の文字情報等と合成された後、モニター１４において並列表示される（ステップＳ３ａ）。
【００３８】
図３（ａ）は、本ステップにおいて表示される二次元画像を、図３（ｂ）は、本ステップにおいて表示される初期画像としての三次元画像（ボリュームレンダリング画像）を、それぞれ示した図である。初期画像においては、適切な三次元関心領域が設定されていないため、図３（ｂ）において矢印で示すように、鼻の一部が欠けた状態で胎児の顔が描出されているのがわかる。なお、図３（ａ）の様に表示された二次元画像が所望する断面に対応しない場合には、例えば入力装置１３等からの操作により、所望の位置に変更することが可能である。
【００３９】
［二次元関心曲線の初期条件取得・二次元関心曲線の設定：ステップＳ４ａ、Ｓ５ａ］
次に、制御プロセッサ２８は、ステップＳ１ａにおいて入力された患者ＩＤに基づいて、内部記憶ユニット２９、或いはネットワーク上のデータベースから当該患者の妊娠周期、当該胎児の頭囲計測データを含む検査情報を取得する。また、制御プロセッサ２８は、取得した検査情報と内部記憶ユニット２９に格納された初期条件テーブルとを比較し、二次元関心曲線を設定するための初期条件を取得する（ステップＳ４ａ）。また、制御プロセッサ２８は、取得した初期条件に従って、二次元画像上に二次元関心曲線を設定する（ステップＳ５ａ）。
【００４０】
なお、二次元関心曲線を設定するための初期条件とは、に二次元画像上に二次元関心曲線を初期設定するための条件であり、例えば、二次元関心曲線を真円とするのであれば、二次元画像上における円の中心位置（座標）、半径等である。
【００４１】
［二次元関心曲線の変更：ステップＳ６ａ、ステップＳ７ａ］
次に、制御プロセッサ２８は、設定された二次元関心曲線の位置、形状、大きさを変更するか否かを判定し（ステップＳ６ａ）、変更すると判定した場合には、入力装置１３からの入力指示に従って、二次元関心曲線の位置、形状、大きさのうちの少なくともいずれかを変更する（ステップＳ７ａ）。
【００４２】
図４は、二次元関心曲線の位置、形状、大きさの変更処理を説明するための図であり、二次元関心曲線として真円が設定された例を示している。同図において、例えばマウスのカーソルを真円の中心Ｏに合わせドラッグアンドドロップ等の操作をすることにより、二次元関心曲線としての真円の位置を移動させることができる。同じく、例えばマウスのカーソルを真円の輪郭上の所望位置（図４では点Ａ０の位置）に合わせドラッグアンドドロップ等の操作により同径方向に移動させることにより、二次元関心曲線としての真円の大きさを大きくしたり小さくしたりすることができる。今の場合、ステップＳ３ａで初期画像として表示された三次元画像においては、鼻の一部が欠けた状態で胎児の顔が描出されている（図３（ｂ）参照）。従って、制御プロセッサ２８は、入力装置１３を介した指示に従って、胎児の鼻が真円内に含まれるように二次元関心曲線を変更する（広げる）。
【００４３】
［二次元関心曲線に基づく三次元関心領域の設定：ステップＳ８ａ］
次に、制御プロセッサ２８は、二次元関心曲線を所定の回転軸回りに回転させることで、ボリュームデータ内に三次元関心領域を設定する（ステップＳ８ａ）。なお、回転軸の位置、向きについては、特に限定はない。典型例としては、二次元関心曲線としての真円の中心Ｏを通過し所定の向き（傾き）を持つ直線、真円内の中心Ｏ以外の点（偏心）を通過し所定の向き（傾き）を持つ直線、所定の傾きを有する真円の接線、真円外を通過し所定の向き（傾き）を持つ直線等を挙げることができる。
【００４４】
図５は、二次元関心曲線としての真円を、中心Ｏを通る回転軸を中心として回転させることで走査方向に設定された三次元関心領域を例示した図である。また、図６は、二次元関心曲線としての真円を、中心Ｏを通る軸を中心として回転させることで揺動方向に設定された三次元関心領域を例示した図である。各図に示すように、二次元画像上に設定された二次元関心曲線としての真円を用いて、ボリュームデータ上に三次元関心領域を設定することができる。
【００４５】
［三次元関心領域の表示：ステップＳ９ａ］
次に、制御プロセッサ２８は、設定された三次元関心領域内に含まれるデータを用いて、三次元関心領域画像を生成する。生成された三次元関心領域画像は、画像合成ユニット２７において所定の文字情報等と合成された後、モニター１４において所定の形態で表示される（ステップＳ９ａ）。
【００４６】
図７は、設定された三次元関心領域内に含まれるデータを用いて生成された三次元画像（ボリュームレンダリング画像）を示した図である。図７に示した三次元画像と図３（ｂ）に示した初期画像とを比較すると、図７に示した三次元画像では、矢印で示すように鼻が欠けていない状態で胎児の顔が描出されている。これは、ステップＳ７ａにおいて胎児の鼻が含まれるように二次元関心曲線を調整し、調整された二次元関心曲線を用いて、三次元関心領域を設定したからである。
【００４７】
以上述べた本超音波診断装置によれば、取得されたボリュームデータに含まれる二次元画像上の所望の位置に、所望の形状、大きさを有する二次元関心曲線としての真円を設定し、当該設定された真円を所定の回転軸回りに回転させることで、ボリュームデータに対して三次元関心領域を設定する。従って、操作者は、二次元画像上において観察対象が含まれるように二次元関心曲線の位置、形状、大きさを調整し設定することで、ボリュームデータに対して簡単且つ適切に三次元関心領域を設定することができる。
【００４８】
（第２の実施形態）
第２の実施形態に係る超音波診断装置は、データベースを利用した二次元関心曲線の初期設定を行わずに、例えば二次元画像上に所望の三点を指定することで、所望の位置、所形状、大きさで二次元関心曲線を設定するものである。
【００４９】
図８は、第２の実施形態に係る三次元関心領域設定支援処理の流れを示したフローチャートである。同図に示すように、患者情報（例えば、患者ＩＤ等）の入力、送受信条件（画角、焦点位置、送信電圧等）、被検体の観察対象を含む三次元領域を所定期間に亘って超音波走査するためのスキャンシーケンス等の選択が実行される（ステップＳ１ｂ）。入力、選択された各種情報・条件等は、自動的に記憶装置２９に記憶される。
【００５０】
次に、制御プロセッサ２８は、観察対象を含む三次元領域を被走査領域として、リアルタイム三次元超音波走査を実行する（ステップＳ２ｂ）。また、当該三次元超音波走査によって取得されたエコー信号を用いて、ボリュームデータが再構成される。画像生成ユニット２５は、再構成されたボリュームデータを用いて、任意断面に対応するＭＰＲ画像（二次元画像）、及び三次元画像を生成する。生成された二次元画像及び三次元画像は、画像合成ユニット２７において所定の文字情報等と合成された後、モニター１４において並列表示される（ステップＳ３ｂ）。
【００５１】
図９は、本ステップにおいて表示される初期画像としての三次元画像（ボリュームレンダリング画像）を示した図である。初期画像では、図９において矢印で示すように、適切な三次元関心領域が設定されていないため、右手が見えず、左目の周囲がはっきりしない状態で胎児の顔を含む領域が描出されている。
【００５２】
次に、制御プロセッサ２８は、入力装置１３を介して指定された所望の三点に基づいて、二次元関心曲線としての真円を設定する（ステップＳ４ｂ）。すなわち、ステップＳ３ｂにおいて表示された二次元画像に対して、例えば図１０に示すようなＡ１、Ａ２、Ａ３の三点がユーザにより入力装置１３を介して設定される。制御プロセッサ２８は、設定されたＡ１、Ａ２、Ａ３の三点を通過する様な真円の中心位置及び半径を計算し、同図１０に示すように二次元画像上にＡ１、Ａ２、Ａ３の三点を通過する真円を二次元関心曲線として設定する（ステップＳ５ｂ）。
【００５３】
また、制御プロセッサ２８は、設定された二次元関心曲線の位置、形状、大きさを変更するか否かを判定し（ステップＳ６ｂ）、変更すると判定した場合には、入力装置１３からの入力指示に従って、二次元関心曲線の位置、形状、大きさのうちの少なくともいずれかを変更する（ステップＳ７ｂ）。例えば、図１０に示すように、例えばマウスのカーソルを真円の中心Ｏに合わせドラッグアンドドロップ等の操作をすることにより、二次元関心曲線としての真円の位置を移動させることができる。同じく、例えばマウスのカーソルを真円の輪郭上の所望位置に合わせ同径方向に移動させることにより、二次元関心曲線としての真円の半径を大きくしたり小さくしたりすることが可能である。さらに、設定された真円を所定の操作によってリセットし、二次元画像上に少なくとも三点を再度設定することで、二次元関心曲線の設定をやり直すことも可能である。
【００５４】
次に、制御プロセッサ２８は、二次元関心曲線を所定の回転軸回りに回転させることで、ボリュームデータ内に三次元関心領域を設定する（ステップＳ８ｂ）。なお、走査方向から見た三次元関心領域を図１１に、揺動方向から見た三次元関心領域を図１２に、それぞれ示した。制御プロセッサ２８は、設定された三次元関心領域内に含まれるデータを用いて、三次元関心領域画像を生成する。
【００５５】
生成された三次元関心領域画像は、画像合成ユニット２７において所定の文字情報等と合成された後、モニター１４において所定の形態で表示される（ステップＳ９ｂ）。
【００５６】
図１３は、設定された三次元関心領域内に含まれるデータを用いて生成された三次元画像（ボリュームレンダリング画像）を示した図である。図１３に示した三次元画像と図９に示した初期画像とを比較すると、図９に示した三次元画像では、矢印で示すように右手及び左目の周囲がはっきりとした状態で胎児の顔を含む領域が描出されている。これは、ステップＳ４ｂ、５ｂにおいて胎児の鼻が含まれるように三点を設定し、当該三点を通過するような二次元関心曲線を用いて三次元関心領域を設定したからである。
【００５７】
以上述べた構成によれば、二次元画像を観察しながら三点を適切に指定することで、観察対象が確実に含まれるような真円を二次元関心曲線として簡単且つ確実に設定することができる。また、この様に設定された真円を所定の回転軸回りに回転させることで、ボリュームデータに対して三次元関心領域を設定する。従って、操作者は、二次元画像上において観察対象が含まれるように三点、或いは二次元関心曲線の位置、形状、大きさを調整し設定することで、ボリュームデータに対して簡単且つ適切に三次元関心領域を設定することができる。
【００５８】
（第３の実施形態）
第３の実施形態は、二次元関心曲線の他の例として、楕円を採用するものである。
【００５９】
図１４は、第３の実施形態に係る三次元関心領域設定支援処理の流れを示したフローチャートである。同図に示すように、患者情報（例えば、患者ＩＤ等）の入力、送受信条件（画角、焦点位置、送信電圧等）、被検体の観察対象を含む三次元領域を所定期間に亘って超音波走査するためのスキャンシーケンス等の選択が実行される（ステップＳ１ｃ）。入力、選択された各種情報・条件等は、自動的に記憶装置２９に記憶される。
【００６０】
次に、制御プロセッサ２８は、観察対象を含む三次元領域を被走査領域として、リアルタイム三次元超音波走査を実行する（ステップＳ２ｃ）。また、当該三次元超音波走査によって取得されたエコー信号を用いて、ボリュームデータが再構成される。画像生成ユニット２５は、再構成されたボリュームデータを用いて、任意断面に対応するＭＰＲ画像（二次元画像）、及び三次元画像を生成する。生成された二次元画像及び三次元画像は、画像合成ユニット２７において所定の文字情報等と合成された後、モニター１４において並列表示される（ステップＳ３ｃ）。
【００６１】
図１５は、本ステップにおいて表示される初期画像としての三次元画像（ボリュームレンダリング画像）を示した図である。初期画像では、図１５において矢印で示すように、適切な三次元関心領域が設定されていないため、子宮構造は分かるが右手が見えない状態で胎児の顔を含む領域が描出されている。
【００６２】
次に、制御プロセッサ２８は、ステップＳ１ｃにおいて入力された患者ＩＤに基づいて、内部記憶ユニット２９、或いはネットワーク上のデータベースから当該患者の妊娠周期、当該胎児の頭囲計測データを含む検査情報を取得する。また、制御プロセッサ２８は、取得した検査情報と内部記憶ユニット２９に格納された初期条件テーブルとを比較し、二次元関心曲線としての楕円を設定するための初期条件を取得し（ステップＳ４ｃ）取得した初期条件に従って、二次元画像上に楕円を設定する（ステップＳ５ｃ）ここでの初期条件は、二次元画像上における楕円の中心位置（座標）、長軸半径（長半径）、短軸半径（短半径）等である。
【００６３】
次に、制御プロセッサ２８は、設定された二次元関心曲線の位置、形状、大きさを変更するか否かを判定し（ステップＳ６ｃ）、変更すると判定した場合には、入力装置１３からの入力指示に従って、二次元関心曲線の位置、形状、大きさのうちの少なくともいずれかを変更する（ステップＳ７ｃ）。
【００６４】
次に、制御プロセッサ２８は、二次元関心曲線としての楕円を回転させる回転軸を設定し、楕円を当該回転軸回りに回転させることで、ボリュームデータ内に三次元関心領域を設定する（ステップＳ８ｃ）。楕円を回転させる回転軸としては、例えば図１６に示すような短軸、或いは長軸が典型例である。しかしながら、当該例に構成されず、例えば、楕円内の中心Ｏ以外の点（偏心）を通過し所定の向き（傾き）を持つ直線、所定の傾きを有する楕円の接線、楕円外を通過し所定の向き（傾き）を持つ直線等を採用することも可能である。また、回転軸の設定と共に、入力装置１３からの入力指示に従って、例えば図１７に示すように楕円の中心位置の移動、楕円の向き或いは大きさの変更等も可能である。これらの操作の結果、例えば図１８に示すような楕円Ｅ及び回転軸Ａｘ（図の例の場合、短軸）とを設定することができる。なお、走査方向から見た三次元関心領域を図１９に、揺動方向から見た三次元関心領域を図２０に、それぞれ示した。
【００６５】
制御プロセッサ２８は、設定された三次元関心領域内に含まれるデータを用いて、三次元関心領域画像を生成する。生成された三次元関心領域画像は、画像合成ユニット２７において所定の文字情報等と合成された後、モニター１４において所定の形態で表示される（ステップＳ９ｃ）。
【００６６】
図２１は、設定された三次元関心領域内に含まれるデータを用いて生成された三次元画像（ボリュームレンダリング画像）を示した図である。図１５に示した三次元画像と図２１に示した初期画像とを比較すると、図２１に示した三次元画像では、矢印で示すように右手及び胎児の顔がよりはっきりと描出されている。これは、ステップＳ７ｃにおいて胎児の鼻が含まれるように二次元関心曲線を調整し、調整された二次元関心曲線を用いて、三次元関心領域を設定したからである。
【００６７】
以上述べた本超音波診断装置によれば、取得されたボリュームデータに含まれる二次元画像上の所望の位置に、所望の形状、大きさを有する二次元関心曲線としての楕円を設定し、当該設定された楕円を所定の回転軸回りに回転させることで、ボリュームデータに対して三次元関心領域を設定する。従って、操作者は、二次元画像上において観察対象が含まれるように二次元関心曲線の位置、形状、大きさを調整し設定することで、ボリュームデータに対して簡単且つ適切に三次元関心領域を設定することができる。
【００６８】
（第４の実施形態）
第４の実施形態は、データベースを利用した二次元関心曲線としての楕円の初期設定を行わずに、例えば二次元画像上に少なくとも所望の三点を指定することで、所望の位置に、所望の形状、大きさで二次元関心曲線を設定するものである。
【００６９】
図２２は、第４の実施形態に係る三次元関心領域設定支援処理の流れを示したフローチャートである。図２２と図１４に示すフローチャートとを比較した場合、ステップＳ４ｄ、Ｓ５ｄの処理が主に異なる。以下、ステップＳ４ｄ、Ｓ５ｄにおける処理の内容について説明する。
【００７０】
ステップＳ３ｄにおいて表示された二次元画像に対して、入力装置１３を介して所望の位置にも三点が指定される（ステップＳ４ｄ）。制御プロセッサ２８は、設定された三点を通過する楕円の中心位置、長半径、短半径を計算し、二次元画像上に指定した三点を通過する楕円を二次元関心曲線として設定する。（ステップＳ５ｄ）。
【００７１】
以上述べた構成によれば、二次元画像を観察しながら三点を適切に指定することで、観察対象が確実に含まれるような楕円を二次元関心曲線として簡単且つ確実に設定することができる。また、この様に設定された楕円を所定の回転軸回りに回転させることで、ボリュームデータに対して三次元関心領域を設定する。従って、操作者は、二次元画像上において観察対象が含まれるように三点、或いは二次元関心曲線の位置、形状、大きさを調整し設定することで、ボリュームデータに対して簡単且つ適切に三次元関心領域を設定することができる。
【００７２】
（第５の実施形態）
第５の実施形態は、二次元関心曲線として真円や楕円といった形状が決まった閉曲線（特定の閉じた領域を形成する曲線）を用いず、操作者が所望する形状の閉曲線を、所望の位置、大きさで二次元関心曲線として二次元画像上に設定し、これを用いて三次元関心領域を設定するものである。
【００７３】
図２３は、第５の実施形態に係る三次元関心領域設定支援処理の流れを示したフローチャートである。同図に示すように、患者情報の入力、送受信条件、超音波走査するためのスキャンシーケンス等の選択が実行され（ステップＳ１ｅ）、観察対象を含む三次元領域を被走査領域として、リアルタイム三次元超音波走査が実行される（ステップＳ２ｅ）。また、当該三次元超音波走査によって取得されたエコー信号を用いて、ボリュームデータが再構成される。画像生成ユニット２５は、再構成されたボリュームデータを用いて、任意断面に対応するＭＰＲ画像（二次元画像）、及び三次元画像を生成する。生成された二次元画像及び三次元画像は、画像合成ユニット２７において所定の文字情報等と合成された後、モニター１４において並列表示される（ステップＳ３ｅ）。
【００７４】
次に、表示された二次元画像に対して、所望の形状、大きさを有する任意の閉曲線が、入力装置１３を介して、二次元関心曲線として所望の位置に指定される（ステップＳ４ｅ）。制御プロセッサ２８は、入力装置１３を介して指定された閉曲線を、二次元画像上に設定する（ステップＳ５ｅ）。
【００７５】
次に、制御プロセッサ２８は、設定された二次元関心曲線の位置、形状、大きさを変更するか否かを判定し（ステップＳ６ｅ）、変更すると判定した場合には、入力装置１３からの入力指示に従って、二次元関心曲線の位置、形状、大きさのうちの少なくともいずれかを変更する（ステップＳ７ｅ）。
【００７６】
次に、表示された二次元画像に対して、入力装置１３を介して、所望する位置に回転軸としての直線が指定される。制御プロセッサ２８は、指定された直線等に基づいて回転軸を設定し、当該回転軸回りに任意閉曲線を回転させることで、ボリュームデータ内に三次元関心領域を設定する（ステップＳ８ｅ）。なお、任意閉曲線を回転させる回転軸は、どの様なものであってもよい。具体例としては、例えば図２４に示すように、任意閉曲線ＣＬの中央部付近を通過する軸Ａｘ１、任意閉曲線ＣＬの中央部から外れた領域を通過する軸Ａｘ２、任意閉曲線ＣＬ内を全く通過しない軸Ａｘ３等を挙げることができる。
【００７７】
制御プロセッサ２８は、設定された三次元関心領域内に含まれるデータを用いて、三次元関心領域画像を生成する。生成された三次元関心領域画像は、画像合成ユニット２７において所定の文字情報等と合成された後、モニター１４において所定の形態で表示される（ステップＳ９ｅ）。
【００７８】
以上述べた本超音波診断装置によれば、取得されたボリュームデータに含まれる二次元画像上の所望の位置に、所望の形状、大きさを有する二次元関心曲線としての任意の閉曲線を設定し、当該設定された閉曲線を所定の回転軸回りに回転させることで、ボリュームデータに対して三次元関心領域を設定する。従って、操作者は、二次元画像上において観察対象が含まれるように二次元関心曲線の位置、形状、大きさを調整し設定することで、ボリュームデータに対して簡単且つ適切に三次元関心領域を設定することができる。
【００７９】
（第６の実施形態）
第６の実施形態は、二次元関心曲線として真円や楕円といった閉じた領域を形成する曲線（閉曲線）を用いず、閉じた領域を形成しない曲線（解放曲線）を採用するものである。
【００８０】
図２５は、第６の実施形態に係る三次元関心領域設定支援処理の流れを示したフローチャートである。図２５と図２３に示すフローチャートとを比較した場合、ステップＳ４ｆ以降の処理が異なる。以下、ステップＳ４ｆ以降の各処理の内容について説明する。
【００８１】
表示された二次元画像に対して、所望の形状、大きさを有する任意の解放曲線が、入力装置１３を介して、二次元関心曲線として所望の位置に指定される（ステップＳ４ｆ）。制御プロセッサ２８は、例えば図２６に示すように、入力装置１３を介して指定された解放曲線ＯＬを二次元画像上に設定する（ステップＳ５ｆ）。
【００８２】
次に、制御プロセッサ２８は、設定された二次元関心曲線の位置、形状、大きさを変更するか否かを判定し（ステップＳ６ｆ）、変更すると判定した場合には、入力装置１３からの入力指示に従って、二次元関心曲線の位置、形状、大きさのうちの少なくともいずれかを変更する（ステップＳ７ｆ）。
【００８３】
次に、表示された二次元画像に対して、入力装置１３を介して、所望する位置に回転軸としての直線が指定される。制御プロセッサ２８は、指定された直線等に基づいて回転軸を設定し、当該回転軸回りに解放曲線を回転させることで、ボリュームデータ内に三次元関心領域を設定する（ステップＳ８ｅ）。
【００８４】
ここで、解放曲線を回転させる回転軸は、どの様なものであってもよい。具体例としては、例えば図２６に示すように、解放曲線ＯＬの始点と終点とを結ぶ直線に対応する回転軸Ａｘ４、解放曲線ＯＬと少なくとも一点（図２６の例では２点）で交わる直線に対応する回転軸Ａｘ５、解放曲線ＯＬと交点を持たない直線に対応する回転軸Ａｘ６等を挙げることができる。なお、回転軸Ａｘ５或いは回転軸Ａｘ６を用いる場合には、解放曲線と、解放曲線の始点及び終点から回転軸に下ろした垂線と、回転軸とによって形成される閉曲線の回転通過領域が、三次元関心領域となる。
【００８５】
制御プロセッサ２８は、設定された三次元関心領域内に含まれるデータを用いて、三次元関心領域画像を生成する。生成された三次元関心領域画像は、画像合成ユニット２７において所定の文字情報等と合成された後、モニター１４において所定の形態で表示される（ステップＳ９ｆ）。
【００８６】
以上述べた本超音波診断装置によれば、取得されたボリュームデータに含まれる二次元画像上の所望の位置に、所望の形状、大きさを有する二次元関心曲線としての任意の解放曲線を設定し、当該設定された解放曲線を所定の回転軸回りに回転させることで、ボリュームデータに対して三次元関心領域を設定する。従って、操作者は、二次元画像上において観察対象が含まれるように二次元関心曲線の位置、形状、大きさを調整し設定することで、ボリュームデータに対して簡単且つ適切に三次元関心領域を設定することができる。
【００８７】
（第７の実施形態）
既述の各実施形態は、三次元走査によって取得されたボリュームデータから生成されるＭＰＲ画像を用いて二次元関心曲線を設定する構成であった。これに対し、本実施形態に係る三次元関心領域設定支援機能は、三次元走査の前段において所望の断面に対応する二次元画像を取得し、当該二次元画像上において二次元関心曲線を設定するものである。なお、この様な本実施形態に係る二次元関心曲線の設定手法は、既述の第１〜第６の実施形態のいずれにおいても適用可能である。以下、説明を具体的にするため、第１の実施形態に係る三次元関心領域設定支援機能に適用した場合について説明する。
【００８８】
図２７は、第７の実施形態に係る三次元関心領域設定支援処理の流れを示したフローチャートである。同図に示すように、患者情報（例えば、患者ＩＤ等）の入力、送受信条件（画角、焦点位置、送信電圧等）、二次元関心曲線の設定に用いる二次元領域を超音波走査するためのスキャンシーケンス、被検体の観察対象を含む三次元領域を所定期間に亘って超音波走査するためのスキャンシーケンス等の選択が実行される（ステップＳ１ｇ）。入力、選択された各種情報・条件等は、自動的に記憶装置２９に記憶される。
【００８９】
次に、制御プロセッサ２８は、観察対象を含む二次元領域を被走査領域として、リアルタイム二次元超音波走査を実行する（ステップＳ２ｇ）。また、当該二次元超音波走査によって取得されたエコー信号を用いて、所望する二次元画像が生成され、所定の文字情報等と共にモニター１４において表示される（ステップＳ３ｇ）。
【００９０】
次に、制御プロセッサ２８は、ステップＳ１ｇにおいて入力された患者ＩＤに基づいて、内部記憶ユニット２９、或いはネットワーク上のデータベースから当該患者の妊娠周期、当該胎児の頭囲計測データを含む検査情報を取得する。また、制御プロセッサ２８は、取得した検査情報と内部記憶ユニット２９に格納された初期条件テーブルとを比較し、二次元関心曲線を設定するための初期条件（円の中心位置（座標）、半径）を取得し（ステップＳ４ｇ）、取得した初期条件に従って、二次元画像上に二次元関心曲線を設定する（ステップＳ５ｇ）。
【００９１】
次に、制御プロセッサ２８は、設定された二次元関心曲線の位置、形状、大きさを変更するか否かを判定し（ステップＳ６ｇ）、変更すると判定した場合には、入力装置１３からの入力指示に従って、二次元関心曲線の位置、形状、大きさのうちの少なくともいずれかを変更する（ステップＳ７ｇ）。
【００９２】
次に、制御プロセッサ２８は、観察対象を含む三次元領域を被走査領域として、リアルタイム三次元超音波走査を実行する（ステップＳ８ｇ）。また、当該三次元超音波走査によって取得されたエコー信号を用いて、ボリュームデータが再構成される。制御プロセッサ２８は、二次元関心曲線が設定された二次元画像とボリュームデータとの位置対応付けを行い、二次元関心曲線を所定の回転軸回りに回転させることで、ボリュームデータ内に三次元関心領域を設定する（ステップＳ９ｇ）。生成された三次元関心領域画像は、画像合成ユニット２７において所定の文字情報等と合成された後、モニター１４において所定の形態で表示される（ステップＳ１０ｇ）。
【００９３】
以上述べた構成によれば、所望する断面に対応する二次元画像を取得した後、当該二次元画像上に、観察対象が確実に含まれるような二次元関心曲線として簡単且つ確実に設定することができる。また、この様に設定された真円を所定の回転軸回りに回転させることで、ボリュームデータに対して三次元関心領域を設定する。従って、操作者は、二次元画像上において観察対象が含まれるように二次元関心曲線の位置、形状、大きさを調整し設定することで、ボリュームデータに対して簡単且つ適切に三次元関心領域を設定することができる。
【００９４】
（第８の実施形態）
第８の実施形態は、二次元関心曲線を用いて三次元関心領域が設定された後の所望のタイミングで、直交三断面（Ａ面、Ｂ面、Ｃ面）と三次元関心領域との間の位置関係をより好適に設定・調整可能とするインターフェースを有するものである。このようなインターフェースは、医用画像参照装置（ビューワ）等を用いて事後的に詳細な画像観察を行う場合に、特に実益がある。なお、本実施形態に係るインターフェースを用いる三次元関心曲線の調整手法は、既述の第１〜第７の実施形態のいずれにおいても適用可能である。
【００９５】
本実施形態に係るインターフェースを用いた三次元関心領域と直交三断面との間の位置関係の設定・変更は、一般座標系モードとＶＯＩ（Volume of Interest）座標系モードとのいずれかの観察モードを用いて実行される。操作者は、いずれの観察モードも自由に選択することが可能である。また、一方のモードから他方のモードへの切り換えも、任意のタイミングで実行することができる。以下、各観察モードにおける三次元関心領域と直交三断面との間の位置関係の設定・変更処理について説明する。
【００９６】
（一般座標系モード）
一般座標系モードとは、三次元関心領域を変換により移動した場合であっても、直交三断面（Ａ面、Ｂ面、Ｃ面）を生成するための観察位置及び観察方向は変換せず移動させないモードである。
【００９７】
図２８は、一般座標系モードにおける三次元関心領域と直交三断面との間の位置関係の設定・変更処理を説明するための図であり、ＭＰＲ画像による直交三断面（Ａ面、Ｂ面、Ｃ面）によって表示される三次元関心領域（球体）、及び当該三次元関心領域に対応する三次元画像（ボリュームレンダリング画像）の一例を示した図である。同図に示すように、入力装置１３からの操作により、例えばＡ面における三次元関心領域の断面（真円）を所望の大きさで所望の位置に（図２８の例では、実線の大きさ・位置から点線の大きさ・位置に）変更したとする。制御プロセッサ２８は、当該Ａ面上における変更操作に応答して、ボリュームデータ内の変更後の三次元関心領域の各大きさ、位置を計算し、Ｂ面、Ｃ面のそれぞれにおける三次元関心領域の断面（真円）の大きさ・位置を変更する。さらに、制御プロセッサ２８は、当該三次元関心領域の変更に連動させて、変更後の三次元関心領域内のデータを用いて三次元画像を生成し、各断面に対応する二次元画像と共に表示する。結果、Ａ面、Ｂ面、Ｃ面のそれぞれにおいて、三次元関心領域は変更前の実線の形態から点線で示された変更後の状態に変化することになる。
【００９８】
また、図２９は、一般座標系モードにおける三次元関心領域と直交三断面との間の位置関係の設定・変更処理を説明するための図であり、ＭＰＲ画像による直交三断面によって表示される三次元関心領域（回転楕円体）、及び当該三次元関心領域に対応する三次元画像（ボリュームレンダリング画像）の他の例を示した図である。同図に示すように、入力装置１３からの操作により、例えばＡ面における三次元関心領域の断面（楕円）を所望の大きさ及び向きで所望の位置に（図２９の例では、実線の大きさ・向き・位置から点線の大きさ・向き・位置に）変更したとする。制御プロセッサ２８は、当該Ａ面上における変更操作に応答して、ボリュームデータ内の変更後の三次元関心領域の各大きさ、位置を計算し、Ｂ面、Ｃ面のそれぞれにおける三次元関心領域の断面（楕円）の大きさ・位置を変更する。さらに、制御プロセッサ２８は、当該三次元関心領域の変更に連動させて、変更後の三次元関心領域内のデータを用いて三次元画像を生成し、各断面に対応する二次元画像と共に表示する。結果、Ａ面、Ｂ面。Ｃ面のそれぞれにおいて、三次元関心領域は変更前の実線の形態から点線で示された変更後の状態に変化することになる。
【００９９】
（ＶＯＩ座標系モード）
ＶＯＩ座標系モードは、三次元関心領域を変換により移動した場合、直交三断面（Ａ面、Ｂ面、Ｃ面）を生成するための観察位置及び観察方向も同様の変換により移動させるモードである。
【０１００】
図３０、図３１は、ＶＯＩ座標系モードにおける三次元関心領域と直交三断面との間の位置関係の設定・変更処理を説明するための図である。各図においては、変更前の直交三断面を（Ａ１、Ｂ１、Ｃ１）とし、変更後の直交三断面を（Ａ２、Ｂ２、Ｃ２）としている。ただし、図３０、図３１の例は、Ａ断面上での変更処理を示すものであるため、Ａ１面とＡ２面とは同じものとなる。
【０１０１】
図３０に示すように、入力装置１３からの操作により、例えばＡ１面において実線で示した三次元関心領域の断面（楕円）の位置、大きさ、形状等を点線で示すように変更したとする。制御プロセッサ２８は、当該Ａ１面上における変更操作に応答して、ボリュームデータ内の変更後の三次元関心領域の各大きさ、位置を計算する。また、制御プロセッサ２８は、残りの二断面（Ｂ１面、Ｃ１面）に関する観察位置及び観察方向につき、移動後のＡ１面に対応させてそれぞれＢ２面、Ｃ２面に変更すると共に、Ｂ２面、Ｃ２面のそれぞれにおける三次元関心領域の断面（楕円）の大きさ・位置を変更する。また、制御プロセッサ２８は、当該三次元関心領域の変更に連動させて、変更後の三次元関心領域内のデータを用いて三次元画像を生成すると共に、変更後の各観察位置及び各観察方向を用いて各断面に対応する二次元画像を生成し、例えば図３１に示すような形態で表示する。
【０１０２】
一般座標系モードでは、例えば図２９に示した様に、Ａ面内において点線で示した様に原点移動及び座標軸の回転移動をした場合であっても、残りの二断面（Ｂ面、Ｃ面）の観察位置及び観察方向は移動前のまま維持されることになる。従って、例えば胎児が図３０の左上のＡ面画像に示すような状態である場合、Ａ面において三次元関心領域を好適な大きさ・位置に変更したとしても、Ｂ面画像では胴体の一部しか観察することができず、またＣ面画像では下半身しか観察することができない。
【０１０３】
これに対し、ＶＯＩ座標系モードにおいては、図３０と図３１とを比較すると分かるように、Ａ面において三次元関心領域の移動を行った後でも、残りのＢ面、Ｃ面における三次元関心領域の形状は変化せず、変更の前後に亘って同じ三方向から、三次元関心領域するものとなる。これは、ＶＯＩ座標系モードが、Ａ面内において原点移動及び座標軸の回転移動をした場合、残りの二断面の観察位置及び観察方向についても、移動後のＡ面に対応して移動させるからである。従って、例えば胎児が図３０の左上のＡ面画像に示すような状態である場合、Ａ２面画像、Ｃ２面画像で胎児の全身画像を、Ｂ２面画像で胎児の頭部画像を好適に観察することができる。
【０１０４】
なお、ＶＯＩ座標系モードにおける三次元関心領域の変更後の表示形態は、図３１に示す例に拘泥されない。例えば図３２に示すように、変更後の三次元関心領域が常に水平状態となるように表示することも可能である。
【０１０５】
また、上記例では、Ａ面内において、原点移動及び座標軸の回転移動の双方を伴う三次元関心領域の変更処理を例示した。当然ながら、原点移動のみ或いは座標軸の回転移動のみを伴う三次元関心領域の変更処理についても、上記手法は適用可能である。さらに、当然ながら、Ａ面だけでなく、Ｂ面、Ｃ面のそれぞれにおいても三次元関心領域の変更処理は実行可能である。なお、図３３にＢ面における三次元関心領域の変更処理を、図３４にＣ面における三次元関心領域の変更処理を、それぞれ例示した。
【０１０６】
以上述べた構成によれば、二次元関心曲線を用いて設定された三次元関心領域の位置、大きさ、向き、形状等を、直交三断面（Ａ面、Ｂ面、Ｃ面）を用いて、所望のタイミングで、容易且つ正確に視認することができる。また、視認後、さらに三次元関心領域の位置、大きさ、向き、形状等を変更したい場合には、いずれかのＭＰＲ画像における三次元関心領域の断面の位置大きさ、向き、形状等を変更するだけで、ボリュームデータに対して簡単且つ適切に三次元関心領域を再設定することができる。
【０１０７】
なお、本発明は上記実施形態そのままに限定されるものではなく、実施段階ではその要旨を逸脱しない範囲で構成要素を変形して具体化できる。具体的な変形例としては、例えば次のようなものがある。
【０１０８】
（１）本実施形態に係る各機能は、当該処理を実行するプログラムをワークステーション等のコンピュータにインストールし、これらをメモリ上で展開することによっても実現することができる。このとき、コンピュータに当該手法を実行させることのできるプログラムは、磁気ディスク（フロッピー（登録商標）ディスク、ハードディスクなど）、光ディスク（ＣＤ−ＲＯＭ、ＤＶＤなど）、半導体メモリなどの記録媒体に格納して頒布することも可能である。
【０１０９】
（２）上記各実施形態においては、画像生成ユニット２５から出力された超音波画像（すなわち、スキャンコンバート後の超音波画像）を用いて、三次元関心領域設定支援処理を行う構成について説明した。しかしながら、対象とする超音波画像データは、スキャンコンバート後のものに拘泥されず、スキャンコンバート前の生データを対象としてもよい。係る場合、輝度値の代わりに、信号値の大きさを用いることで、同様の効果を達成することができる。
【０１１０】
（３）上記各実施形態においては、超音波診断装置を用いて取得されたボリュームデータに対して、三次元関心領域設定支援機能を用いて三次元関心領域を設定する場合を例とした。しかしながら、本三次元関心領域設定支援機能を用いた三次元関心領域の設定は、超音波診断装置に拘泥されず、他の医用画像診断装置、例えば、Ｘ線コンピュータ断層撮影装置、磁気共鳴イメージング装置、Ｘ線診断装置、核医学診断装置等を用いて取得されたボリュームデータに対しても、実現することができる。さらに、医用画像診断装置に拘泥されず、予め取得されたボリュームデータを用いて、医用ワークステーションによって実現される超音波画像処理装置、医用画像処理装置によっても、実現可能である。
【０１１１】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【０１１２】
以上本発明によれば、例えば超音波診断装置等によって取得されたボリュームデータを用いて三次元画像を表示する場合において、三次元関心領域の簡単且つ適切な設定を支援するための超音波診断装置、超音波画像処理装置、医用画像診断装置及び医用画像処理装置を実現することができる。
【符号の説明】
【０１１３】
１０…超音波診断装置、１２…超音波プローブ、１３…入力装置、１４…モニター、２１…超音波送信ユニット、２２…超音波受信ユニット、２３…Ｂモード処理ユニット、２４…ドプラ処理ユニット、２５…画像生成ユニット、２６…画像メモリ、２７…画像合成ユニット、２８…制御プロセッサ、２９…内部記憶ユニット、３０…インターフェースユニット
【図１】
0005868479.tif 000002
【図２】
0005868479.tif 000003
【図３】
0005868479.tif 000004
【図４】
0005868479.tif 000005
【図５】
0005868479.tif 000006
【図６】
0005868479.tif 000007
【図７】
0005868479.tif 000008
【図８】
0005868479.tif 000009
【図９】
0005868479.tif 000010
【図１０】
0005868479.tif 000011
【図１１】
0005868479.tif 000012
【図１２】
0005868479.tif 000013
【図１３】
0005868479.tif 000014
【図１４】
0005868479.tif 000015
【図１５】
0005868479.tif 000016
【図１６】
0005868479.tif 000017
【図１７】
0005868479.tif 000018
【図１８】
0005868479.tif 000019
【図１９】
0005868479.tif 000020
【図２０】
0005868479.tif 000021
【図２１】
0005868479.tif 000022
【図２２】
0005868479.tif 000023
【図２３】
0005868479.tif 000024
【図２４】
0005868479.tif 000025
【図２５】
0005868479.tif 000026
【図２６】
0005868479.tif 000027
【図２７】
0005868479.tif 000028
【図２８】
0005868479.tif 000029
【図２９】
0005868479.tif 000030
【図３０】
0005868479.tif 000031
【図３１】
0005868479.tif 000032
【図３２】
0005868479.tif 000033
【図３３】
0005868479.tif 000034
【図３４】
0005868479.tif 000035